(57)【要約】【課題】配線を容易とし、設置場所を選ばず、設置作業を簡単にし、周囲環境からブレーカおよびソーラタイムスイッチを保護し、結線作業を容易とする。【解決手段】ブレーカ１３、ソーラタイムスイッチ１４を防湿ケースに収納する。開口１０ａを持つケース本体１０、開口１０ａを開閉自在に閉塞する蓋体１１で防湿ケースを構成し、孔１０２ａ，１０２ａからこれらを防湿ブッシング１２，１２で密閉するように、商用電源からの入力電線Ｃ１、光源への出力電線Ｃ２を防湿ケースに引き込み、入力電線Ｃ１の端部をブレーカ１３の入力端子１３１，１３１に接続してブレーカ１３を防湿ケース内に収納し、ブレーカ１３の出力端子１３２，１３２からの電線Ｌ１，Ｌ１、出力電線Ｃ２を、ソーラタイムスイッチ１４の電源入力端子１４３，１４３、電源出力端子１４４，１４４に接続してソーラタイムスイッチ１４を防湿ケースに収納する。【選択図】  図１
2004335418.tif 000002
【特許請求の範囲】
【請求項１】
１次側電源入力端子および２次側電源出力端子を有し、それら１次側電源入力端子および２次側電源出力端子間に流れる電流値が所定値を超えた時または遮断操作時に、それら１次側電源入力端子および２次側電源出力端子間を復帰操作自在に遮断するブレーカと、
時限側電源入力部、時限側電源出力部、現在時刻を計時する計時手段、および年間を通じて太陽の位置により日毎に決まる朝方の所定時刻および夕方の所定時刻を出力するカレンダ手段を有し、前記計時手段から得られる現在時刻および前記カレンダ手段から得られる所定時刻を基に、前記時限側電源入力部および前記時限側電源出力部間を開閉するソーラタイムスイッチと、
少なくとも一の開口を有するケース本体およびその開口を開閉自在に閉塞する蓋体により構成され、少なくとも一つの孔からこれを密閉するように、電源からの入力電線および負荷への出力電線の各端部が内部に引き込まれ、前記入力電線の端部を前記１次側電源入力端子に電気的に接続した状態で前記ブレーカを内部に収納するとともに、前記２次側電源出力端子および前記出力電線の端部をそれぞれ前記時限側電源入力部および前記時限側電源出力部に電気的に接続した状態で前記ソーラタイムスイッチを内部に収納する防湿ケースと
を備えることを特徴とする電源自動入切制御装置。
【請求項２】
前記ソーラタイムスイッチは、前記朝方の所定時刻および前記夕方の所定時刻の少なくとも一方に代えて、別の所定時刻を設定する設定手段を有することを特徴とする請求項１記載の電源自動入切制御装置。
【請求項３】
前記ソーラタイムスイッチは、前記時限側電源入力部および前記時限側電源出力部間を操作に応じて強制的に開閉する強制開閉手段を有することを特徴とする請求項１または２記載の電源自動入切制御装置。
【請求項４】
前記蓋体は、樹脂により形成され透明になっていることを特徴とする請求項１から３のいずれかに記載の電源自動入切制御装置。
【請求項５】
前記ソーラタイムスイッチの外郭を構成する下部ケースは、前記ケース本体内に一体に形成されていることを特徴とする請求項１から４のいずれかに記載の電源自動入切制御装置。
【発明の詳細な説明】
【０００１】
【発明の属する技術分野】
本発明は、電源と負荷との間に介設され、負荷に対する電源の入切を自動で行う電源自動入切制御装置に関するものである。
【０００２】
【従来の技術】
図６に従来の外灯の構成図を示し、図７に同外灯の回路図を示す。図６，図７において、外灯２ＰＡは、街路灯や道路灯などであり、地面に立設されたポール２０と、この上部先端に取り付けられる放電灯などの光源２１（負荷）と、ポール２０内に収納され内部電線Ｃ３を介して光源２１と電気的に接続される安定器２２および自動点滅器２３と、内部電線Ｃ４を介して自動点滅器２３と電気的に接続されるカットアウトスイッチ２４とにより構成されている。なお、図７の黒丸は接続箇所を示す。
【０００３】
上記構成では、自動点滅器２３が、周囲の明るいことを感知して、節電のために照明の電源をオフにして光源２１を消灯し、周囲の暗いことを感知して、照明の電源をオンにして光源２１を点灯する。
【０００４】
このような構成の外灯２ＰＡによれば、日入により周囲が暗くなるときに、自動点滅器２３により光源２１への電源供給を開始し、日出により周囲が明るくなるときに、自動点滅器２３により光源２１への電源供給を停止することができる。
【０００５】
このほか、特許文献１には、上記外灯に類似する電源供給装置が記載されている。この電源供給装置は、ブレーカ、自動点滅器、テストスイッチおよびリレーを備え、ブレーカの一次側には電源が接続され、二次側にはリレーを介して負荷が接続され、自動点滅器およびテストスイッチは、いずれかの回路開閉によりリレーを制御するように配線されていることを特徴としている。
【０００６】
また、特許文献２には、上部通気口および下部通気口を有し、これらの間を連通する筒状ポールであって、上部通気口および下部通気口の間に空気を対流させる手段を設置したポールが開示されている。
【０００７】
なお、特許文献３などには、基本のタイムスイッチの機能に加えて、年間の日出時刻・日入時刻を用いることができるようにデータを内蔵することによって、日出時刻・日入時刻を基準にして負荷のオン時刻やオフ時刻を決めることができるようにしたソーラタイムスイッチが記載されている。
【０００８】
【特許文献１】
特開２００２−１７０６９１号公報
【特許文献２】
特開２００１−３４９０９５号公報
【特許文献３】
特開平９−２６９３８６号公報
【０００９】
【発明が解決しようとする課題】
しかしながら、図６，図７に示した従来の外灯では、周囲光を受光する必要のある自動点滅器を用いるので、ポール内で電線が軸方向に往復して配線が複雑となるほか、光源の照明の影響を受けないように、ポール外の高所などに取付孔を穿設して自動点滅器を設置しなければならず、設置場所に制限が加わり、設置作業が手間となる課題があった。
【００１０】
また、ポール外に自動点滅器を設置する構成では、周囲環境、例えば海岸付近での塩害により、受光部の特性劣化等が早まるので、自動点滅器の交換周期が早まるという課題もあった。
【００１１】
また、放電灯および安定器を有する外灯に対し、自動点滅器およびカットアウトスイッチを用いる従来の構成では、電線の結線箇所が多いために、結線作業が面倒となる課題もある。
【００１２】
本発明は、上記事情に鑑みてなされたものであり、配線が容易であり、設置場所を選ばず、設置作業を簡単にでき、周囲環境からブレーカおよびソーラタイムスイッチを保護することができ、結線作業が容易となる電源自動入切制御装置を提供することを目的とする。
【００１３】
【課題を解決するための手段】
上記課題を解決するための請求項１記載の発明の電源自動入切制御装置は、１次側電源入力端子および２次側電源出力端子を有し、それら１次側電源入力端子および２次側電源出力端子間に流れる電流値が所定値を超えた時または遮断操作時に、それら１次側電源入力端子および２次側電源出力端子間を復帰操作自在に遮断するブレーカと、時限側電源入力部、時限側電源出力部、現在時刻を計時する計時手段、および年間を通じて太陽の位置により日毎に決まる朝方の所定時刻および夕方の所定時刻を出力するカレンダ手段を有し、前記計時手段から得られる現在時刻および前記カレンダ手段から得られる所定時刻を基に、前記時限側電源入力部および前記時限側電源出力部間を開閉するソーラタイムスイッチと、少なくとも一の開口を有するケース本体およびその開口を開閉自在に閉塞する蓋体により構成され、少なくとも一つの孔からこれを密閉するように、電源からの入力電線および負荷への出力電線の各端部が内部に引き込まれ、前記入力電線の端部を前記１次側電源入力端子に電気的に接続した状態で前記ブレーカを内部に収納するとともに、前記２次側電源出力端子および前記出力電線の端部をそれぞれ前記時限側電源入力部および前記時限側電源出力部に電気的に接続した状態で前記ソーラタイムスイッチを内部に収納する防湿ケースとを備えることを特徴とする。
【００１４】
請求項２記載の発明は、請求項１記載の電源自動入切制御装置において、前記ソーラタイムスイッチは、前記朝方の所定時刻および前記夕方の所定時刻の少なくとも一方に代えて、別の所定時刻を設定する設定手段を有することを特徴とする。
【００１５】
請求項３記載の発明は、請求項１または２記載の電源自動入切制御装置において、前記ソーラタイムスイッチは、前記時限側電源入力部および前記時限側電源出力部間を操作に応じて強制的に開閉する強制開閉手段を有することを特徴とする。
【００１６】
請求項４記載の発明は、請求項１から３のいずれかに記載の電源自動入切制御装置において、前記蓋体は、樹脂により形成され透明になっていることを特徴とする。
【００１７】
請求項５記載の発明は、請求項１から４のいずれかに記載の電源自動入切制御装置において、前記ソーラタイムスイッチの外郭を構成する下部ケースは、前記ケース本体内に一体に形成されていることを特徴とする。
【００１８】
【発明の実施の形態】
図１は本発明による一実施形態の電源自動入切制御装置の構成図、図２は電源自動入切制御装置が使用される外灯の構成図、図３は外灯における電源自動入切制御装置の収納箇所の説明図、図４は電源自動入切制御装置を外灯に収納した様子を示す図、図５は電源自動入切制御装置を収納した外灯の回路図である。
【００１９】
図２に示す外灯２は、街路灯や道路灯などであり、ポール２０と、この上部先端に取り付けられる放電灯などの光源２１（負荷）と、ポール２０内に収納され内部電線Ｃ３を介して光源２１と電気的に接続される安定器２２とにより構成され、ポール２０内に本実施形態の電源自動入切制御装置１を収納している。
【００２０】
ポール２０には、図３，図４に示すように、上下方向に伸びる矩形状の開口２０ａが地上で作業可能な地面寄りの位置に穿設され、開口２０ａからポール２０内に電源自動入切制御装置１が収納設置される。図４の例では、ポール２０内に設けられた取付板２０１に、電源自動入切制御装置１が上下２個のねじＳ１によりねじ止めされている。そして、開口２０ａは、これよりも大きい矩形状の蓋２００をポール２０にねじ止めすることにより閉塞されるようになっている。
【００２１】
電源自動入切制御装置１は、商用電源（図示せず）と光源２１との間に介設され、光源２１に対する電源の入切を自動で行うものであり、図１，図４に示すように、下記の防湿ケースと、ブレーカ１３と、ソーラタイムスイッチ１４とを備えている。
【００２２】
上記の防湿ケースは、ケース本体１０と、蓋体１１と、一対の防湿ブッシング１２，１２と、防湿パッキン１１ｂとより構成され、ブレーカ１３およびソーラタイムスイッチ１４を気密状態で内部に収納するものである。なお、ケース本体１０および蓋体１１の詳細については、後述する。
【００２３】
ブレーカ１３は、従来と同様のいわゆるノーフューズブレーカである。すなわち、一対の１次側電源の入力端子１３１，１３１および一対の２次側電源の出力端子１３２，１３２を有し、入力端子１３１，１３１および出力端子１３２，１３２間に流れる電流値が所定値を超えた時、または操作部１３０に対する遮断操作時に、入力端子１３１，１３１および出力端子１３２，１３２間を操作部１３０により復帰操作自在に遮断する構成になっている。
【００２４】
ソーラタイムスイッチ１４は、特許文献３などに開示されているソーラタイムスイッチと同様に、基本のタイムスイッチの機能に加えて、年間の日出時刻、日入時刻を用いることができるようにデータを内蔵することによって、日出時刻、日入時刻を基準にして負荷のオン時刻やオフ時刻を決めることができるようにしたものである。
【００２５】
より具体的には、後方に開口を有する上部ケース１４１と、ケース本体１０の底部１００内面に一体成形され、前方に開口を有する下部ケース１４２とを、一対のねじＳ１４，Ｓ１４により互いに固定することにより、ソーラタイムスイッチ１４の外郭が構成されている。
【００２６】
この外郭の前面には、一対の電源入力端子１４３，１４３および一対の電源出力端子１４４，１４４が下部に配置され、この上方に複数のボタンなどからなる操作部１４５が配置され、この上方に表示部１４６が配置されている。なお、図１の例では、一対の電源入力端子１４３，１４３および一対の電源出力端子１４４，１４４は、平角ワッシャ付きねじおよびねじ孔の穿設された端子板などにより構成される端子になっているが、本発明の時限側電源入力部および時限側電源出力部は、そのような端子に限らず、例えば引出リード線などでもよい。
【００２７】
そして、外郭内部には、各種機能部を構成するマイコン、メモリ、タイマおよび各種回路部などが収納されている。図１（ｂ）の例では、操作部１４５および表示部１４６などが実装された基板Ｐ１が、上部ケース１４１の底部内面側にねじ止めされているほか、電源入力端子１４３，１４３、電源出力端子１４４，１４４、マイコン、メモリ、タイマおよび各種回路部などが実装され、基板Ｐ１と電気的に接続される基板Ｐ２が、部品側を上部ケース１４１内に収納するようにして上部ケース１４１の開口縁部側に装着されている。つまり、ソーラタイムスイッチ１４を構成する、下部ケース１４２以外の部品が上部ケース１４１に設けられており、それを下部ケース１４２に載せて、ねじＳ１４，Ｓ１４でねじ止めすることにより、ソーラタイムスイッチ１４の組立てが完了するとともに、防湿ケースのケース本体１０への取付けが完了する構成になっているのである。
【００２８】
そして、上記各種機能部としては、現在時刻を計時する計時部と、年間を通じて太陽の位置により日毎に決まる朝方の所定時刻および夕方の所定時刻を出力するカレンダ部と、計時部から得られる現在時刻およびカレンダ部から得られる所定時刻を基に、電源入力端子１４３，１４３および電源出力端子１４４，１４４間を開閉する開閉部とが設けられる。これにより、例えば、計時部から得られる現在時刻が、カレンダ部から得られる夕方の所定時刻になると、電源入力端子１４３，１４３および電源出力端子１４４，１４４間が閉にされる。一方、計時部から得られる現在時刻が、カレンダ部から得られる朝方の所定時刻になると、電源入力端子１４３，１４３および電源出力端子１４４，１４４間が開にされる。
【００２９】
また、各種機能部として、操作部１４５に対する操作入力に応じて、朝方の所定時刻および夕方の所定時刻の少なくとも一方に代えて、別の所定時刻を設定する設定部が設けられる。これにより、例えば、朝方の所定時刻に代えて、夜間または深夜の所定時刻を設定すれば、計時部から得られる現在時刻が、その夜間または深夜の所定時刻になると、電源入力端子１４３，１４３および電源出力端子１４４，１４４間が開にされることになる。
【００３０】
さらに、各種機能部として、電源入力端子１４３，１４３および電源出力端子１４４，１４４間を、操作部１４５に対する操作入力に応じて、強制的に開閉する強制開閉部が設けられる。これにより、操作部１４５に対して開閉操作をすれば、電源入力端子１４３，１４３および電源出力端子１４４，１４４間を強制的に開閉することができる。
【００３１】
ケース本体１０および蓋体１１について詳述すると、ケース本体１０は、例えば樹脂製であり、底部１００から上側部１０１、下側部１０２、左側部１０３および右側部１０４がそれぞれ前方に延設され、縦長矩形状の開口１０ａを前方に有する箱状に形成されている。なお、開口は一つに限らず、例えば、中央に隔壁を有し、前方に二つの開口を有する構造でもよい。
【００３２】
底部１００には、上下端からそれぞれ上下方向にフランジ部１００ａ，１００ｂが延設されている。フランジ部１００ａには、ねじＳ１の頭部を挿通し、その足部を挿通して頭部と掛止可能となるだるま状の孔１００ｃが穿設されている。一方、フランジ部１００ｂには、ねじＳ１の足部挿通用のスリット１００ｄが形成されている。これにより、ケース本体１０は、孔１００ｃに対するねじＳ１により取付板２０１に仮止めされ、孔１００ｃおよびスリット１００ｄの各々に対するねじＳ１により取付板２０１にねじ止めされることになる。
【００３３】
下側部１０２には、一対の孔１０２ａ，１０２ａが穿設され、孔１０２ａ，１０２ａから、これらをそれぞれ一対の防湿ブッシング１２，１２で密閉するように、商用電源からの入力電線Ｃ１と光源２１への出力電線Ｃ２との各端部が、防湿ケース内に引き込まれるようになっている。入力電線Ｃ１は、導体線およびこれを覆う絶縁被覆によりなる一対の電線Ｃ１１，Ｃ１１と、これらをさらに覆うシースＣ１０とにより構成されている。出力電線Ｃ２も、導体線およびこれを覆う絶縁被覆によりなる一対の電線Ｃ２１，Ｃ２１と、これらをさらに覆うシースＣ２０とにより構成されている。
【００３４】
なお、入力電線Ｃ１および出力電線Ｃ２は、それぞれ商用電源および光源２１から配線された電線でもよいが、本実施形態では、予め所定長に切断された電線であり、図５に示すように、入力電線Ｃ１は、商用電源からの電線と接続され、出力電線Ｃ２は、光源２１および安定器２２からの電線と接続される。また、一対の防湿ブッシング１２，１２がそれぞれ別々に一対の孔１０２ａ，１０２ａを密閉する構成になっているが、一対の防湿ブッシング１２，１２を一体化し、上記一対の孔１０２ａ，１０２ａを一の孔とする構成でもよい。
【００３５】
左側部１０３には、上下寄りに一対のねじ止め部１０３ａ，１０３ａがそれぞれ左方に突設されている。一方、右側部１０４には、上下寄りに一対の軸受け部１０４ａ，１０４ａが設けられている。
【００３６】
蓋体１１は、例えば透明樹脂製であり、後方に開口１１ａを有し、ケース本体１０の開口１０ａを閉塞する箱状に形成されている。そして、蓋体１１の左側部１１３には、一対の突部１１３ａ，１１３ａが、ケース本体１０の左側部１０３における一対のねじ止め部１０３ａ，１０３ａにそれぞれ対応する位置に設けられ、各突部１１３ａには、ねじＳ２の足部挿通用の挿通孔が穿設されている。一方、蓋体１１の右側部１１４には、ケース本体１０の右側部１０４における一対の軸受け部１０４ａ，１０４ａにより、ケース本体１０の開口１０ａを開閉自在にそれぞれ軸支される一対の軸部１１４ａ，１１４ａが設けられている。要するに、一対の軸受け部１０４ａ，１０４ａおよび一対の軸部１１４ａ，１１４ａにより一対のヒンジが構成されているのである。また、蓋体１１の開口１１ａの縁部には、溝が周設されており、その溝内には防湿パッキン１１ｂが埋設されている。
【００３７】
これにより、ケース本体１０の一対の軸受け部１０４ａ，１０４ａで軸支された蓋体１１の開口１１ａの縁部を、ケース本体の開口１０ａの縁部と合わせて、開口１０ａを蓋体１１により閉塞した状態で、蓋体１１の各突部１１３ａに穿設された挿通孔にねじＳ２の足部を挿通し、それを対応するねじ止め部１０３ａに螺着すれば、蓋体１１がケース本体１０に内部を密閉した状態で固定されることになる。なお、ケース本体１０の開口１０ａの縁部には、防湿パッキン１１ｂに食い込む突起が周設されており、防湿効果を一層高めるようになっている（図１（ｃ）参照）。
【００３８】
そして、上記構成の防湿ケースには、入力電線Ｃ１の端部を入力端子１３１，１３１に電気的に接続した状態で、ブレーカ１３が収納されるとともに、出力端子１３２，１３２からの一対の電線Ｌ１，Ｌ１および出力電線Ｃ２の端部を、それぞれ電源入力端子１４３，１４３および電源出力端子１４４，１４４に電気的に接続した状態で、ソーラタイムスイッチ１４が収納される。
【００３９】
次に、上記構成の電源自動入切制御装置１の組立手順例について説明する。先ず、ケース本体１０内の所定位置に、ブレーカ１３を一対のねじＳ１３，Ｓ１３を用いてねじ止めするとともに、ソーラタイムスイッチ１４を構成する、下部ケース１４２以外の部品が設けられた上部ケース１４１を、一対のねじＳ１４，Ｓ１４を用いて、ケース本体１０に一体成形された下部ケース１４２にねじ止めする。
【００４０】
この後、入力電線Ｃ１および出力電線Ｃ２の両端部を、それぞれケース本体１０の孔１０２ａ，１０２ａからケース本体１０内に挿入するとともに、孔１０２ａ，１０２ａと入力電線Ｃ１および出力電線Ｃ２との間の隙間に、防湿ブッシング１２，１２をそれぞれ挿入してそれらの隙間を密閉する。
【００４１】
この後、入力電線Ｃ１の端部における両電線Ｃ１１の導体線を、ブレーカ１３の入力端子１３１，１３１にそれぞれ電気的に接続するとともに、出力電線Ｃ２の端部における両電線Ｃ２１の導体線を、ソーラタイムスイッチ１４の電源出力端子１４４，１４４にそれぞれ電気的に接続する。また、一対の電線Ｌ１，Ｌ１を用いて、ブレーカ１３の出力端子１３２，１３２とソーラタイムスイッチ１４の電源入力端子１４３，１４３とをそれぞれ電気的に接続する。
【００４２】
この後、蓋体１１をケース本体１０の軸受け部１０４ａ，１０４ａに軸支し、蓋体１１の開口１１ａの縁部を、ケース本体の開口１０ａの縁部と合わせて、開口１０ａを蓋体１１により閉塞する。そして、その状態で、蓋体１１の各突部１１３ａに穿設された挿通孔にねじＳ２の足部を挿通し、それを対応するねじ止め部１０３ａに螺着する。
【００４３】
これにより、蓋体１１がケース本体１０に内部を密閉した状態で固定され、電源自動入切制御装置１の組立てが完了する。
【００４４】
なお、上記各手順は後先を適宜入れ替えても構わない。また、ねじＳ２，Ｓ２を用いて、ケース本体１０に蓋体１１をねじ止めするのは、後述の取付手順により電源自動入切制御装置１がポール２０内の取付板２０１にねじ止めされた後でもよい。さらに、蓋体１１も、後述の取付手順によりケース本体１０がポール２０内の取付板２０１にねじ止めされた後、ケース本体１０の軸受け部１０４ａ，１０４ａに軸支されるようにしてもよい。
【００４５】
次に、上記電源自動入切制御装置１の外灯２内への取付手順例について説明する。先ず、取付板２０１の所定位置にねじＳ１を仮螺着する。この後、取付板２０１に仮螺着されたねじＳ１にケース本体１０の孔１００ｃを通して、電源自動入切制御装置１を取付板２０１に仮止めする。そして、そのねじＳ１をさらに螺着するとともに、もう一つのねじＳ１をケース本体１０のスリット１００ｄに挿通して取付板２０１に螺着する。これにより、電源自動入切制御装置１が取付板２０１にねじ止めされることになる。
【００４６】
この後、入力電線Ｃ１を商用電源からの電線に接続し、出力電線Ｃ２を、光源２１および安定器２２への電線に接続する。これにより、電源自動入切制御装置１の外灯２内への取付が完了する。
【００４７】
以上のように、本実施形態によれば、周囲光を受光する必要のある自動点滅器を用いる従来の外灯と比べ、自動点滅器によりポール内で電線が軸方向に往復することがなく、図２，図５に示すように、光源２１への電線だけで済むので、ポール内での配線が容易となるほか、ブレーカ１３およびソーラタイムスイッチ１４を防湿ケース内に収納し、その防湿ケースの孔１０２ａ，１０２ａからこれらを防湿ブッシング１２，１２で密閉するように、入力電線Ｃ１および出力電線Ｃ２の各端部を防湿ケース内に引き込むことにより、湿気の多いポール２０内への防湿ケースの設置が可能となるなど、設置場所を選ばず、防湿ケースをポール２０のどこにでも設置することができ、その設置場所を適宜選択することにより設置作業が簡単になる上、海岸近くに設置されたとしても、周囲環境による塩害などからブレーカ１３およびソーラタイムスイッチ１４を保護することができる。
【００４８】
また、光源２１および安定器２２を有する外灯に対し、自動点滅器２３およびカットアウトスイッチ２４を用いる従来の構成（図７参照）に比べ、図５に示すように、入力電線Ｃ１および出力電線Ｃ２に対する結線で済み、結線箇所が１４箇所から９箇所に少なくなるため、結線作業が容易となる効果がある。
【００４９】
また、商用電源と光源２１との間における電源（電力）の入出力（供給）経路が、ソーラタイムスイッチ１４の所で、計時部から得られる現在時刻およびカレンダ部から得られる所定時刻を基に開閉されるので、例えば、日入時刻に光源２１への電源供給を開始し、日出時刻に光源２１への電源供給を停止することができる。
【００５０】
さらに、ブレーカ１３を遮断操作することにより、ソーラタイムスイッチ１４側への電源供給を停止することができるので、ソーラタイムスイッチ１４や負荷側の修理などの作業がし易くなる。
【００５１】
また、ソーラタイムスイッチ１４が、朝方の所定時刻および夕方の所定時刻の少なくとも一方に代えて、別の所定時刻を設定する設定部を有するので、例えば、日入時刻に光源２１への電源供給を開始し、日出時刻に代わる夜間または深夜の定刻に光源２１への電源供給を停止することができる。これにより、外灯の消費電力削減が可能となる。
【００５２】
また、ソーラタイムスイッチ１４が、電源入力端子１４３，１４３および電源出力端子１４４，１４４間を操作に応じて強制的に開閉する強制開閉部を有するので、外灯２に設置される時間帯が日中である場合、自動点滅器２３を用いる従来の外灯では、自動点滅器２３の受光部を覆って太陽光を遮断することにより、光源２１が点灯するかどうかを確認するか、あるいは図８のように、試験点灯用のテストスイッチ２５を別途設け、これを操作することにより、光源２１が点灯するかどうかを確認する必要があるのに対し、本実施形態によれば、強制開閉部により、光源２１が点灯するかどうかを簡単に確認することができる。
【００５３】
また、蓋体１１が透明であるので、ケース本体１０の開口１０ａが蓋体１１によって閉塞されている状態でも、防湿ケース内部を確認することができるため、施工時や点検時などで、ブレーカ１３およびソーラタイムスイッチ１４の状態を素早く確認することができる。
【００５４】
さらに、ソーラタイムスイッチ１４の外郭を構成する下部ケース１４２が、ケース本体１０内に一体に形成されているので、ソーラタイムスイッチ１４の外郭用として下部ケースを別途用意する必要がないから、部品点数を削減することができる。また、防湿ケースの奥行き方向の寸法を薄くできるため、より細い径のポールに防湿ケースを収納することができる。
【００５５】
なお、本実施形態では、ケース本体１０に一対の孔１０２ａ，１０２ａが穿設される構成になっているが、これに限らず、ケース本体１０に一対の切欠溝が形成される構成でもよい。また、一対の孔ないし一対の切欠溝は、蓋体１１に形成される構成でもよいが、ケース本体１０に形成される構成の方が望ましい。
【００５６】
【発明の効果】
以上のことから明らかなように、請求項１記載の発明は、１次側電源入力端子および２次側電源出力端子を有し、それら１次側電源入力端子および２次側電源出力端子間に流れる電流値が所定値を超えた時または遮断操作時に、それら１次側電源入力端子および２次側電源出力端子間を復帰操作自在に遮断するブレーカと、時限側電源入力部、時限側電源出力部、現在時刻を計時する計時手段、および年間を通じて太陽の位置により日毎に決まる朝方の所定時刻および夕方の所定時刻を出力するカレンダ手段を有し、前記計時手段から得られる現在時刻および前記カレンダ手段から得られる所定時刻を基に、前記時限側電源入力部および前記時限側電源出力部間を開閉するソーラタイムスイッチと、少なくとも一の開口を有するケース本体およびその開口を開閉自在に閉塞する蓋体により構成され、少なくとも一つの孔からこれを密閉するように、電源からの入力電線および負荷への出力電線の各端部が内部に引き込まれ、前記入力電線の端部を前記１次側電源入力端子に電気的に接続した状態で前記ブレーカを内部に収納するとともに、前記２次側電源出力端子および前記出力電線の端部をそれぞれ前記時限側電源入力部および前記時限側電源出力部に電気的に接続した状態で前記ソーラタイムスイッチを内部に収納する防湿ケースとを備えるので、周囲光を受光する必要のある自動点滅器を用いる従来の外灯と比べ、自動点滅器によりポール内で電線が軸方向に往復することがないので、ポール内での配線が容易となるほか、ブレーカおよびソーラタイムスイッチを防湿ケース内に収納し、少なくとも一つの孔からこれを密閉するように、電源からの入力電線および負荷への出力電線の各端部を内部に引き込むことにより、湿気の多いポール内への防湿ケースの設置が可能となるなど、設置場所を選ばず、防湿ケースをポールのどこにでも設置することができ、その設置場所を適宜選択することにより設置作業が簡単になる上、海岸近くに設置されたとしても、周囲環境による塩害などからブレーカおよびソーラタイムスイッチを保護することができる効果を奏する。また、放電灯および安定器を有する外灯に対し、自動点滅器およびカットアウトスイッチを用いる従来の構成に比べ、電源からの入力電線および負荷への出力電線に対する結線で済み、結線箇所が少なくなるため、結線作業が容易となる効果がある。また、電源と負荷との間における電源の入出力経路が、ソーラタイムスイッチの所で、計時手段から得られる現在時刻およびカレンダ手段から得られる所定時刻を基に開閉されるので、例えば、日入時刻に負荷への電源供給を開始し、日出時刻に負荷への電源供給を停止することができる。さらに、ブレーカを遮断操作することにより、ソーラタイムスイッチ側への電源供給を停止することができるので、ソーラタイムスイッチや負荷の修理などの作業がし易くなる。
【００５７】
請求項２記載の発明は、請求項１記載の電源自動入切制御装置において、前記ソーラタイムスイッチは、前記朝方の所定時刻および前記夕方の所定時刻の少なくとも一方に代えて、別の所定時刻を設定する設定手段を有するので、例えば、日入時刻に負荷への電源供給を開始し、日出時刻に代わる夜間または深夜の定刻に負荷への電源供給を停止することができる。これにより、負荷の消費電力削減が可能となる。
【００５８】
請求項３記載の発明は、請求項１または２記載の電源自動入切制御装置において、前記ソーラタイムスイッチは、前記時限側電源入力部および前記時限側電源出力部間を操作に応じて強制的に開閉する強制開閉手段を有するので、例えば、外灯に設置される時間帯が日中である場合、自動点滅器を用いる従来の外灯では、自動点滅器の受光部を覆って太陽光を遮断することにより、光源が点灯するかどうかを確認するか、あるいは試験点灯用のテストスイッチを別途設け、これを操作することにより、光源が点灯するかどうかを確認する必要があるのに対し、本発明によれば、強制開閉手段により、光源が点灯するかどうかを簡単に確認することができる。
【００５９】
請求項４記載の発明は、請求項１から３のいずれかに記載の電源自動入切制御装置において、前記蓋体は、樹脂により形成され透明になっているので、ケース本体の開口が蓋体によって閉塞されている状態でも、防湿ケース内部を確認することができるため、施工時や点検時などで、ブレーカおよびソーラタイムスイッチの状態を素早く確認することができる。
【００６０】
請求項５記載の発明は、請求項１から４のいずれかに記載の電源自動入切制御装置において、前記ソーラタイムスイッチの外郭を構成する下部ケースは、前記ケース本体内に一体に形成されているので、ソーラタイムスイッチの外郭用として下部ケースを別途用意する必要がないので、部品点数を削減することができ、また、防湿ケースの奥行き方向の寸法を薄くできるため、より細い径のポールに防湿ケースを収納することができる。
【図面の簡単な説明】
【図１】本発明による一実施形態の電源自動入切制御装置の構成図であり、（ａ）は前方から見た断面図、（ｂ）は右方から見た断面図、（ｃ）は上方から見た断面図である。
【図２】電源自動入切制御装置が使用される外灯の構成図である。
【図３】外灯における電源自動入切制御装置の収納箇所の説明図であり、（ａ）は上部を除く外灯の側面図、（ｂ）は（ａ）におけるＡ部分の拡大図である。
【図４】電源自動入切制御装置を外灯に収納した様子を示す図であり、（ａ）は側方から見た図、（ｂ）は上方から見た断面図である。
【図５】電源自動入切制御装置を収納した外灯の回路図である。
【図６】従来の外灯の構成図である。
【図７】同外灯の回路図である。
【図８】同外灯にテストスイッチをさらに設けた場合の回路図である。
【符号の説明】
１  電源自動入切制御装置
１０  ケース本体
１１  蓋体
１２  防湿ブッシング
１３  ブレーカ
１４  ソーラタイムスイッチ
２  外灯
２０  ポール
２１  光源
２２  安定器
【図１】
2004335418.tif 000003
【図２】
2004335418.tif 000004
【図３】
2004335418.tif 000005
【図４】
2004335418.tif 000006
【図５】
2004335418.tif 000007
【図６】
2004335418.tif 000008
【図７】
2004335418.tif 000009
【図８】
2004335418.tif 000010